(57)【特許請求の範囲】
【請求項１】
物品に付されている無線通信タグ（以下、物品タグとする）に記憶されている１以上の物品情報をタグ情報読取装置で読み取るタグ情報の読取り方法において、
前記タグ情報読取装置の使用者である読取者の無線通信タグ（以下、読取者タグとする）に、閲覧資格を記憶させておくと共に、前記物品タグに前記一以上の物品情報と共に、各物品情報毎に該物品の秘密性に応じて定められる閲覧資格範囲と、該物品タグが付されている物品の性質によって定められる条件で且つ該閲覧資格の閲覧資格範囲とは異なる条件であり、該物品タグに記憶されている一以上の物品情報毎に定められている物品閲覧条件を記憶させておき、
前記タグ情報読取装置では、前記読取者タグから閲覧資格を無線通信で取得すると共に、前記物品タグから前記一以上の物品情報と各物品情報毎に定められている前記閲覧資格範囲及び前記物品閲覧条件を無線通信で取得し、該物品閲覧条件を満たし且つ該閲覧資格を含む該閲覧資格範囲が定められている一以上の物品情報を抽出し、抽出した該一以上の物品情報を出力する、
ことを特徴とするタグ情報の読取り方法。
【請求項２】
無線通信タグに記憶されている情報を読み取るタグ情報読取装置において、
前記無線通信タグと無線通信して、該無線通信タグに記憶されている情報を取得する無線通信手段と、
前記無線通信手段で取得した情報を記憶しておく記憶手段と、
前記記憶手段に記憶された情報のうちから特定の情報を抽出する情報抽出手段と、
前記情報抽出手段で抽出された情報を出力する出力手段と、
を備え、
前記情報抽出手段は、前記記憶手段に、前記無線通信手段で取得された読取者の無線通信タグ（以下、読取者タグとする）に記憶されている閲覧資格と、物品に付されている無線通信タグ（以下、物品タグとする）に記憶されている１以上の物品情報及び各物品情報毎に該物品の秘密性に応じて定められる閲覧資格範囲と、該物品タグが付されている物品の性質によって定められる条件で且つ前記閲覧資格の閲覧資格範囲とは異なる条件であり、該物品タグに記憶されている一以上の物品情報毎に定められている物品閲覧条件と、が記憶されると、前記読取者の閲覧資格を含む閲覧資格範囲及び該物品閲覧条件が定められている一以上の物品情報を抽出し、該物品閲覧条件を満たす情報が該記憶手段に記憶されない限り、該物品閲覧条件が定められている一以上の物品情報を抽出しない、
ことを特徴とするタグ情報読取装置。
【請求項３】
請求項２に記載のタグ情報読取装置において、
前記物品閲覧条件は、予め定めた複数人数分の前記閲覧資格が前記記憶手段に記憶されることである、
ことを特徴とするタグ情報読取装置。
【請求項４】
請求項２または３に記載のタグ情報読取装置において、
一回の閲覧資格の取得に対して、前記無線通信手段により、複数の前記物品タグから連続して情報を取得することを規制する、又は、前記情報抽出手段により、複数の前記物品タグからのそれぞれの情報を連続して前記記憶手段から抽出することを規制する連続処理規制手段を備えている、
ことを特徴とするタグ情報読取装置。
【請求項５】
請求項４に記載のタグ情報読取装置において、
同一読取者による継続使用を把握する継続使用把握手段を備え、
前記連続処理規制手段は、前記継続使用把握手段により同一読取者による継続使用が把握されると、前記規制を解除する、
ことを特徴とするタグ情報読取装置。
【請求項６】
請求項２〜５のいずれか一項に記載のタグ情報読取装置において、
前記出力手段は、前記情報抽出手段で抽出された情報を印刷する印刷手段、又は該情報抽出手段で抽出された該情報を印刷手段に送る送信手段を有する、
ことを特徴とするタグ情報読取装置。
【請求項７】
請求項２〜６のいずれか一項に記載のタグ情報読取装置と、
前記読取者タグと、
前記物品タグと、
を備えていることを特徴とするタグシステム。
【発明の詳細な説明】
【技術分野】
【０００１】
本発明は、物品に付されている無線通信タグに記憶されている１以上の物品情報を読み取るタグ情報読取装置、これを備えているタグシステム、このタグ情報読取装置を用いたタグ情報の読取り方法に関する。
【背景技術】
【０００２】
物品を管理する方法として、この物品にRFID(Radio Frequency Identification)と呼ばれる無線通信タグを取り付け、タグ情報読取装置でこの無線通信タグからに物品の情報を読み取って、この物品を管理する方法がある。
【０００３】
このような無線通信タグ及びタグ情報読取り装置に関する技術としては、例えば、以下の特許文献１，２に記載されているものがある。
【０００４】
特許文献１に記載の技術は、タグ情報読取装置に関する技術で、このタグ情報読取装置は、無線通信タグから無線通信で得た情報を印刷する印刷機構を備えている。
【０００５】
また、特許文献２に記載の技術は、無線通信タグに関する技術で、この無線通信タグは、タグ内のメモリに記憶されている情報を表示する表示機能を備えている。
【０００６】
【特許文献１】特開2000−306051号公報
【特許文献２】特開2002−236891号公報
【発明の開示】
【発明が解決しようとする課題】
【０００７】
しかしながら、いずれの従来技術も、誰もが無線通信タグに記憶されている情報を閲覧することができ、この情報の漏洩等の管理を行えないという問題点がある。
【０００８】
本発明は、このような従来の問題点に着目してなされたもので、無線通信タグに記憶されている情報の閲覧を規制することができる、タグ情報の読取り方法、タグ情報読取装置、これを備えているタグシステムを提供することを目的とする。
【課題を解決するための手段】
【０００９】
前記問題点を解決するためのタグ情報の読取り方法に係る発明は、
物品に付されている無線通信タグ（以下、物品タグとする）に記憶されている１以上の物品情報をタグ情報読取装置で読み取るタグ情報の読取り方法において、
前記タグ情報読取装置の使用者である読取者の無線通信タグ（以下、読取者タグとする）に、閲覧資格を記憶させておくと共に、前記物品タグに前記一以上の物品情報と共に、各物品情報毎に該物品の秘密性に応じて定められる閲覧資格範囲を記憶させておき、
前記タグ情報読取装置では、前記読取者タグから閲覧資格を無線通信で取得すると共に、前記物品タグから前記一以上の物品情報及び各物品情報毎に定められている閲覧資格範囲を無線通信で取得し、該閲覧資格を含む閲覧資格範囲が定められている一以上の物品情報を抽出し、抽出した該一以上の物品情報を出力することを特徴とする。
【００１０】
また、前記問題点を解決するためのタグ情報読取装置に係る発明は、
無線通信タグに記憶されている情報を読み取るタグ情報読取装置において、
前記無線通信タグと無線通信して、該無線通信タグに記憶されている情報を取得する無線通信手段と、
前記無線通信手段で取得した情報を記憶しておく記憶手段と、
前記記憶手段に記憶された情報のうちから特定の情報を抽出する情報抽出手段と、
前記情報抽出手段で抽出された情報を出力する出力手段と、
を備え、
前記情報抽出手段は、前記記憶手段に、前記無線通信手段で取得された読取者の無線通信タグ（以下、読取者タグとする）に記憶されている閲覧資格と、物品に付されている無線通信タグ（以下、物品タグとする）に記憶されている１以上の物品情報及び各物品情報毎に該物品の秘密性に応じて定められる閲覧資格範囲とが記憶されると、前記読取者の閲覧資格を含む閲覧資格範囲が定められている一以上の物品情報を抽出することを特徴とする。
【００１１】
ここで、前記タグ情報読取装置は、
前記情報抽出手段は、前記物品タグに記憶されている一以上の物品情報毎に定められている物品閲覧条件が、前記記憶手段に記憶された場合には、該物品閲覧条件を満たす情報が該記憶手段に記憶されない限り、該物品閲覧条件が定められている一以上の物品情報を抽出せず、
前記物品閲覧条件は、前記物品タグが付されている前記物品の性質によって定められる条件で且つ前記閲覧資格範囲とは異なり条件であり、該物品タグに記憶されており、前記無線通信手段で取得されて、前記記憶手段に記憶されることを特徴とするものであってもよい。
【００１２】
また、前記問題点を解決するためのタグシステムに係る発明は、
以上のタグ情報読取装置と、前記読取者タグと、前記物品タグとを備えていることを特徴とする。
【発明の効果】
【００１３】
本発明によれば、物品の秘密性に応じて定められる閲覧資格範囲内に、読取者の閲覧資格が含まれている場合にのみ、この物品に付されている物品タグの物品情報を閲覧できるので、情報の漏洩等を防ぐことができる。
【発明を実施するための最良の形態】
【００１４】
以下、本発明に係る無線通信タグシステムについて、図面を用いて説明する。
【００１５】
本実施形態の無線通信タグシステムは、図１に示すように、無線通信タグから情報を読み取る一方で情報を書き込むタグ情報リード/ライト装置１０と、このタグ情報リード/ライト装置１０からの指示に従って印刷を行うプリンタ１９と、このタグ情報リード/ライト装置１０の使用者が所有する読取者タグ３０と、物品である配管１に付される配管タグ４０とを備えている。
【００１６】
タグ情報リード/ライト装置１０は、図２に示すように、アンテナ１１と、変調処理や復調処理等を行うＲ／Ｆ回路１２と、各種演算処理等を行うＣＰＵ１３と、このＣＰＵ１３が実行するプログラムが記憶されているプログラムメモリ１４ａと、各種データが記憶されるデータメモリ１４ｂと、各種キースイッチ１５と、キースイッチインタフェース１５ａと、ディスプレイ１６と、ディスプレイインタフェース１６ａと、タッチセンサ１７と、センサインタフェース１７ａと、電源１８と、プリンタインタフェース１９ａとを備えている。タッチセンサ１７は、図１に示すように、このタグ情報リード/ライト装置１０の矩形状のケースの側面に設けられている。
【００１７】
読取者タグ３０及び配管タグ４０は、いずれも、無線通信タグで、平面コイル状のアンテナ３１と、ＩＣチップ３２とを備えている。ＩＣチップ３２は、整流器３４と、変調処理や復調処理等を行うＲ／Ｆ回路３３と、各種処理を実行するＣＰＵ３５と、メモリ３６とを有している。これらの無線通信タグ３０，４０の通信相手先は、高周波磁界を発生する。この高周波磁界は、これらの無線通信タグ３０，４０のアンテナ３１を介して吸収され、整流器３４で整流されてＩＣチップ３２内の各回路を駆動する直流電力源となる。メモリ３６は、例えば、ＮＡＮＤ型フラッシュＲＯＭなど電気的に読み書き可能な不揮発性のメモリである。ＣＰＵ３５は、外部からの無線通信の内容に応じて、メモリ３６に対して、情報の読み取り及び書き込みを行う。
【００１８】
タグ情報リード/ライト装置１０は、機能的には、図３に示すように、無線通信タグ３０，４０と無線通信を行う無線通信部２１と、無線通信タグ３０，４０から取得した情報を記憶する記憶領域２２と、この記憶領域２２に記憶された情報のうちから特定の情報のみを抽出する情報抽出部２３と、情報抽出部２３で抽出された情報を表示する表示部２４と、使用者が指示等を当該装置１０へ入力するための入力部２５と、読取者タグ３０からの一回の閲覧資格取得に対して複数の物品タグ４０からの連続的な情報の読み出しを規制する連続処理規制部２６と、当該装置１０の継続使用を把握する継続使用把握部２７と、これらを統合的に制御する統合制御部２８と、を有する。
【００１９】
なお、以上の機能構成要素のうち、無線通信部２１は図２におけるアンテナ１１及びＲ／Ｆ回路１２を有して構成され、情報抽出部２３と連続処理規制部２６と統合制御部２８は、プログラムメモリ１４ａと、このプログラムメモリ１４ａに記憶されているプログラムを実行するＣＰＵ１３とを有して構成される。また、表示部２４はディスプレイ１６及びディスプレイインタフェース１６ａを有し、入力部２５はキースイッチ１５及びキースイッチインタフェース１５ａを有し、継続使用把握部２７はタッチセンサ１７及びセンサインタフェース１７ａを有すると共に、これらは、さらに、プログラムメモリ１４ａ及びＣＰＵ１３を有して構成される。また、記憶領域２２は、データメモリ１４ｂを有して構成される。
【００２０】
読取者タグ３０及び配管タグ４０は、機能的には、いずれも、無線通信部３７と、記憶領域３９と、これらを制御する制御部３８とを有する。なお、無線通信部３７は図２におけるアンテナ３１及びＲ／Ｆ回路３３を有して構成され、記憶領域３９はメモリ３６を有して構成される。また、制御部３８は、メモリ３６と、このメモリ３６に記憶されているプログラムを実行するＣＰＵ３５とを有して構成される。
【００２１】
配管タグ４０の記憶領域３９には、図４に示すように、複数の項目１〜５に分かれている複数の物品情報（配管情報）５１と、各物品情報毎に定められている閲覧資格範囲５２と、各物品情報毎に定められている物品閲覧条件であるダブル資格の要否５３とが記憶されている。複数の物品情報５１としては、例えば、項目１の物品情報として、物品である配管の固有ＩＤや、目次として機能する関連図書番号等の情報、項目２の物品情報として、ミルシートデータ等の素材材料情報、項目３の物品情報として、開先加工内容や溶接条件等の製造情報、項目４の物品情報として溶接検査結果や耐圧試験結果等の検査情報、項目５の物品情報として、内部流体情報や保守履歴等の情報がある。各項目毎の物品情報５１には、前述したように、閲覧資格範囲５２が定められている。この閲覧資格範囲は物品情報の秘密性、言い換えると物品情報の公開性に応じて定められる。例えば、同図（ａ）に示す配管タグの情報の場合には、項目１に対して全資格が定められ、項目２及び３に対してＡ，Ｂ１の資格が定められ、項目４に対してＡ，Ｂ２の資格が定められ、項目５に対してＡ，Ｂ２，Ｃ１の資格が定められている。また、項目５に対しては、ダブル資格が必要である旨が定められている。なお、ダブル資格は、２人分の閲覧資格が必要であることを意味している。また、同図（ｂ）に示す配管タグの情報の場合には、項目１に対して全資格が定められ、項目２及び３に対してＡ，Ｂ１，Ｂ２の資格が定められ、項目４及び５に対してＡ，Ｂ２，Ｃ１の資格が定められている。また、この場合、いずれの項目に対しても、ダブル資格は不要である旨が定められている。
【００２２】
なお、ここでは、配管タグを例に説明しているが、本発明はこれに限定されるものではなく、例えば、物品がポンプである場合には、その項目１の物品情報として、ポンプの固有ＩＤや、目次として機能する関連図書番号等の情報、項目２の物品情報として、ポンプ部品の素材材料情報、項目３の物品情報として、ポンプの仕様情報、項目４のポンプの各種検査情報、項目５の物品情報として、内部流体情報や保守履歴等の情報が考えられる。
ある。
【００２３】
読取者タグ３０の記憶領域３９には、図５に示すように、読取者の識別番号６１と、閲覧資格６２とが記憶されている。この実施形態では、閲覧資格としては、図４に示すように、Ａ，Ｂ１，Ｂ２，Ｃ１，Ｃ２がある。資格Ａは、例えば、工事から運転の全般を管理する管理責任者等に与えられ、資格Ｂ１は、例えば、工事の作業者等に与えられ、資格Ｂ２は運転員等に与えられる。
【００２４】
以上、読取者タグ３０及び配管タグ４０の記憶領域３９の情報は、タグ情報リード/ライト装置１０により書き込まれる。なお、配管タグ４０の記憶領域３９への書込みに関しては、図７に示すフローチャートを用いて後述する。
【００２５】
次に、図６に示すフローチャートを用いて、配管タグ４０に記憶されている情報の読出時におけるタグ情報リード/ライト装置１０の動作について説明する。
【００２６】
タグ情報リード/ライト装置１０がＯＮになると、統合制御部２８が表示部２４に閲覧資格要求を表示させる（Ｓ１０）。この場合、表示部２４には、例えば、「あなたのタグの情報を読み込んでください。」等が表示される。読取者は、この表示を見て、自分の読取者タグ３０にタグ情報リード/ライト装置１０を近づけて、当該装置１０により、読取者タグ３０に記憶されている閲覧資格を読み取らせる（Ｓ１１）。この際、当該装置１０は、無線通信部２１から読取者識別番号及び閲覧資格の送信要求を出力する。読取者タグ３０は、この要求を受けると、制御部３８が記憶領域３９から読取者識別番号及び閲覧資格を読み出して、無線通信部３７にこれを送信させる。タグ情報リード/ライト装置１０の無線通信部２１が読取者識別番号および閲覧資格を受信すると、これを記憶領域２２に格納する。
【００２７】
タグ情報リード/ライト装置１０は、読取者タグ３０から閲覧資格等を取得すると（Ｓ１１）、配管タグ４０からの情報の読取要求を表示部２４に表示し、読取者タグ３０から閲覧資格を読み取ったときと同様に、物品タグ４０から情報を取得する（Ｓ１２）。
【００２８】
タグ情報リード/ライト装置１０の記憶領域２２に読取者タグ３０からの情報及び配管タグ４０からの情報が格納されると、タグ情報リード/ライト装置１０の情報抽出部２３は、物品タグ４０から取得した複数の物品情報のうち、ダブル資格が定められている物品情報があるか否かを判断する（Ｓ１３）。
【００２９】
例えば、配管タグ４０に図４（ａ）に示す情報が記憶されており、これらの情報を取得した場合には、複数の物品情報５１のうち、項目５の物品情報にはダブル資格が定められているので、情報抽出部２３は、ダブル資格が定められている物品情報があると判断する。また、配管タグ４０に図４（ｂ）に示す情報が記憶されており、これらの情報を取得した場合には、複数の物品情報５１のいずれにもダブル資格が定められていないので、情報抽出部２３は、ダブル資格が定められている物品情報はないと判断する。
【００３０】
仮に、ダブル資格が定められている物品情報はないと判断した場合には、情報抽出部２３は、記憶領域２２に記憶されている複数の物品情報のうち、読取者の閲覧資格を含む閲覧資格範囲が定められている物品情報を抽出する（Ｓ１６）。例えば、読取者の閲覧資格が「Ｂ１」の場合、図４（ｂ）に示す物品情報５１のうち、閲覧資格範囲５２に「Ｂ１」を含む項目１〜３の物品情報が抽出される。
【００３１】
また、情報抽出部２３は、ステップ１３で、ダブル資格が定められている物品情報があると判断した場合には、統合制御部２８にその旨を伝え、統合制御部２８から表示部２４に閲覧資格要求を表示させる（Ｓ１４）。
【００３２】
情報抽出部２３は、記憶領域２２に新たな閲覧資格が格納されたか否か、つまり、新たな閲覧資格を取得したか否かを判断し（Ｓ１５）、新たな閲覧資格を取得したと判断した場合には、記憶領域２２に記憶されている複数の物品情報のうち、まず、先に取得した閲覧資格を含む閲覧資格範囲が定められている物品情報を抽出する（Ｓ１７）。続いて、ダブル資格が定められている物品情報に関して、その閲覧資格範囲に二つの閲覧資格が含まれない物品情報を、ステップ１７で抽出した物品情報から削除する（Ｓ１８）。例えば、先に取得した閲覧資格が「Ｂ２」の場合、ステップ１７では、図４（ａ）に示す物品情報のうち、閲覧資格範囲５２に「Ｂ２」を含む項目１，４，５の物品情報が抽出される。また、後から取得した閲覧資格が「Ａ」「Ｂ２」「Ｃ１」のいずれかである場合、ステップ１８では、ダブル資格が定められている項目５の物品情報に関しては、その閲覧資格範囲に二つの資格、この場合、先の「Ｂ２」資格と後の「Ａ」「Ｂ２」「Ｃ１」のいずれかの資格を含むので、この項目５の物品情報は、ステップ１７で抽出した物品情報から削除されない。また、また、後から取得した閲覧資格が「Ｂ１」「Ｃ２」のいずれかである場合、ステップ１８では、ダブル資格が定められている項目５の物品情報に関しては、その閲覧資格範囲に二つの資格、この場合、先の「Ｂ２」資格と後の「Ｂ１」「Ｃ２」のいずれかの資格を含まないので、この項目５の物品情報は、ステップ１７で抽出した物品情報から削除される。
【００３３】
情報抽出部２３は、ステップ１５で、新たな閲覧資格を取得していないと判断した場合には、記憶領域２２に記憶されている複数の物品情報のうち、まず、前述のステップ１７と同様に、ステップ１１で取得した閲覧資格を含む閲覧資格範囲が定められている物品情報を抽出する（Ｓ１９）。続いて、ダブル資格が定められている物品情報を、ステップ１９で抽出した物品情報から削除する（Ｓ２０）。例えば、先に取得した閲覧資格が「Ｂ２」の場合、ステップ２０では、図４（ａ）に示す物品情報のうち、閲覧資格範囲５２に「Ｂ２」を含む項目１，４，５の物品情報が抽出される。そして、ステップ１９では、ダブル資格が定められている項目５の物品情報が、ステップ２０で抽出した物品情報から削除される。
【００３４】
ステップ１６〜ステップ２０の処理で１以上の物品情報が抽出されると、これらの物品情報が表示部２４に渡され、この表示部２４で表示される（Ｓ２１）。この表示部２４では、１以上の物品情報が階層的に表示される。具体的には、いずれの閲覧資格でも表示される項目１の物品情報、つまり配管固有ＩＤや目次として機能する関連図書番号等が最初に表示され、その後、読取者つまり使用者からの指示で、他の項目の物品情報が表示される。但し、使用者が他の項目の表示を指示しても、ステップ１６〜ステップ２０の処理で、その項目の物品情報が抽出されていない場合、例えば、「あなたの閲覧資格では項目Ｘの情報を表示できません」等、その項目に関する不表示が表示される。なお、項目の不表示に関しては、目次として機能する関連図書番号を表示している段階で、例えば、不表示の項目を薄く表示し、この項目を選択できないようにしておいてもよい。
【００３５】
次に、統合制御部２８は、使用者による入力部２５の操作で印刷要求があったか否かを判断する（Ｓ２２）。印刷要求があれば、統合制御部２８は、表示中の物品情報の印刷データをプリンタ１９に送り、表示中の物品情報を印刷させる（Ｓ２３）。
【００３６】
ステップ２２で印刷要求がないと判断した場合、又は印刷要求があって印刷が終了した場合、統合制御部２８は、使用者による入力部２５の操作で新たな物品情報の読取要求があったか、物品情報の書込要求があったか、いずれの要求もなかったかを判断する（Ｓ２３）。
【００３７】
読取要求があった場合、継続使用把握部２７は、ステップ１１で読取者タグの閲覧資格を取得してから現時点まで、当該装置１０が継続的に使用されているか否かを判断する（Ｓ２５）。ここで、当該装置１０の継続使用とは、ステップ１１で読取者タグから閲覧資格を取得してから現時点までの間、第三者に当該装置１０が渡されることなく、当初の読取者が当該装置１０を使用し続けていることである。当該装置１０が継続使用されていないと判断された場合、連続処理規制部２６は、記憶領域２２内に記憶されている閲覧資格を消去して、ステップ１０に戻って表示部２４に閲覧資格要求を表示させる。この結果、一回の閲覧資格の収得に対して、複数の配管タグ４０から連続して情報を取得することが規制される。なお、仮に、複数の配管タグ４０から連続して物品情報等を取得できるようにしていても、記憶領域２２内に閲覧資格が消去されているため、二回目以降に取得した物品情報が情報抽出部２３で抽出されることはない。
【００３８】
ステップ２５で、現時点まで当該装置１０が継続的に当該装置１０が継続的に使用されていると判断された場合、連続処理規制部２６は、連続処理規制を解除し、つまり記憶領域２２内に記憶されている閲覧資格の消去を行わず、ステップ１２に戻って表示部２４に配管タグ３０からの物品情報等の取得要求を表示し、物品情報等を取得させる。
【００３９】
また、ステップ２４で書込要求があった場合、図７のステップ３０に進んで、入力部２５が書込内容を受け付ける。この書込要求は、例えば、ステップ２１で、該当項目に関する物品情報に関して、一度も書込み処理を行っておらず、空欄表示の場合や、一度は書込み処理しているものの、書込み内容の更新処理を行う場合に要求される。なお、ここでは、配管タグ４０の情報の閲覧資格がある場合には、配管タグ４０への情報の書込みができるようにしているが、つまり、配管タグ４０の情報の閲覧資格に対して配管タグ４０への情報の書込み資格が同じであるが、異なる資格にしてもよい。この場合、例えば、閲覧資格よりも書込み資格の方が上位の資格であるようにするか、ダブル資格を要求するかして、書込み要求があった時点で、現時点で記憶領域２２に記憶されている資格で書込みを行えるか否かを判断し、書込みを行えないと判断した場合には、別途、資格を要求するようにするとよい。
【００４０】
統合制御部２８は、入力部２５から書込み内容の確定を受け付けると（Ｓ３１）、入力部２５から印刷要求があったか否かを判断する（Ｓ３２）。印刷要求があれば、統合制御部２８は、確定した書込み内容の印刷データをプリンタ１９に送り、これを印刷させる（Ｓ３３）。ステップ３２で印刷要求がないと判断した場合、又は印刷要求があって印刷が終了した場合、統合制御部２８は、入力部２５から送信要求があったか否かを判断する（Ｓ２３）。統合制御部２８は、送信要求があれば、書込み内容を無線通信部２１に渡し、これを送信させる。この書き込み内容を配管タグ４０の無線通信部３７が受信すると、この内容が制御部３８により記憶領域３８に書き込まれる。なお、当該装置１０から配管タグ４０に送る書込み情報としては、実際に、使用者が入力した内容の他に、ステップ１１で取得した使用者の識別番号も含めるようにして、誰が、配管タグ４０に情報を書き込んだかを後からでも分かるようにしておくとよい。
【００４１】
以上のように、書込み内容が送信されると、当該装置１０による一連の処理が終了する。また、ステップ２４でいずれの要求もないと判断した場合も、当該装置１０による一連の処理を終了する。
【００４２】
以上のように、本実施形態では、物品の秘密性に応じて定められる閲覧資格範囲内に、読取者の閲覧資格が含まれている場合にのみ、この物品に付されている物品タグ４０の物品情報を閲覧できるので、情報の漏洩等を防ぐことができる。また、物品閲覧条件が定められている場合には、より情報の漏洩等を防ぐことができる。
【００４３】
なお、本実施形態では、プラント内の部品や機器に物品タグを取り付けた場合を例示しているが、本発明はこれに限定されるものではなく、何らかの物品に物品タグを取り付けて、この物品タグに記憶した情報を管理したい場合には、以上と同様に閲覧資格等を設定して、物品タグの情報を管理するようにしてもよいことは言うまでもない。
【図面の簡単な説明】
【００４４】
【図１】本発明に係る一実施形態における無線通信タグシステムの構成を示す説明図である。
【図２】本発明に係る一実施形態における無線通信タグシステムの回路ブロック図である。
【図３】本発明に係る一実施形態における無線通信システムの機能ブロック図である。
【図４】本発明に係る一実施形態における配管タグ（物品タグ）に記憶されている情報を示す説明図である。
【図５】本発明に係る一実施形態における読取者タグに記憶されている情報を示す説明図である。
【図６】本発明に係る一実施形態におけるタグ情報リード/ライト装置の情報読取時の動作を示すフローチャートである。
【図７】本発明に係る一実施形態におけるタグ情報リード/ライト装置の情報書込み時の動作を示すフローチャートである。
【符号の説明】
【００４５】
１：配管（物品）、１０：タグ情報リード/ライト装置、１９：プリンタ、２１，３７：無線通信部、２２，３９：記憶領域、２３：情報抽出部、２４：表示部、２５：入力部、２６：連続処理規制部、２７：継続処理把握部、２８：統合制御部、３８：制御部、３０：読取者タグ、４０：配管（物品）タグ
【図１】
0004705832.tif 000002
【図２】
0004705832.tif 000003
【図３】
0004705832.tif 000004
【図４】
0004705832.tif 000005
【図５】
0004705832.tif 000006
【図６】
0004705832.tif 000007
【図７】
0004705832.tif 000008